(57)【特許請求の範囲】
【請求項１】
物体側から像側へ順に、正の屈折力を有しズーミングのためには移動しない第１レンズ群と、ズーミングに際し、隣接するレンズ群の間隔を変化させながら移動する少なくとも２群を含むズームレンズ群と、開口絞りと、正の屈折力を有しズーミングのためには移動しないリレーレンズ群とを有し、
該第１レンズ群は、物体側から像側へ順に、正の屈折力を有する第１１レンズ群と、負の屈折力を有する第１２レンズ群と、正の屈折力を有する第１３レンズ群からなり、
該第１２レンズ群を物体側へ繰り出すことにより近距離物体へ焦点調整を行い、
該第１レンズ群の焦点距離をｆ１、該第１１レンズ群の焦点距離をｆ１１とするとき、
０．０７  ＜  ｆ１／ｆ１１  ＜  ０．３５
を満足することを特徴とするズームレンズ。
【請求項２】
前記ズームレンズの望遠端における焦点距離をｆｔとするとき、
０．２  ＜  ｆ１／ｆｔ  ＜  １．０
を満足することを特徴とする請求項１に記載のズームレンズ。
【請求項３】
前記第１２レンズ群の焦点距離をｆ１２、前記第１３レンズ群の焦点距離をｆ１３とするとき、
−２．５  ＜  ｆ１２／ｆ１３  ＜  −０．８
を満足することを特徴とする請求項１または２に記載のズームレンズ。
【請求項４】
前記少なくとも２群を含むズームレンズ群は、物体側から順に、ズーミングに際して移動する負の屈折力の第２レンズ群と、ズーミングに際して移動する第３レンズ群と、を有することを特徴とする請求項１に記載のズームレンズ。
【請求項５】
請求項１乃至４の何れか１項に記載のズームレンズと、
該ズームレンズによって形成される像を光電変換する撮像素子と、
を有することを特徴とする撮像装置。
【請求項６】
前記ズームレンズの広角端における焦点距離をｆｗ、イメージサイズをＩＳとするとき、
０．７  ＜  ｆｗ／ＩＳ  ＜  ２．４
を満足することを特徴とする請求項５に記載の撮像装置。
【発明の詳細な説明】
【技術分野】
【０００１】
本発明は、テレビカメラや映画用カメラ、ビデオカメラ、写真用カメラ、デジタルカメラに好適なズームレンズに関し、高倍率、小型軽量、且つ焦点調整による収差変動が少ないズームレンズ、及びそれを有する撮像装置に関するものである。
【背景技術】
【０００２】
従来より、変倍レンズ群よりも物体側に位置するレンズ群により焦点調整を行うズームレンズについて種々の方式が提案されている。
【０００３】
例えば特許文献１では、全体として正の屈折力を有するフォーカス群が、物体側より順に負の屈折力の第１レンズ群、負の屈折力の第２レンズ群、正の屈折力の第３レンズ群より構成されている。そして前記第２レンズが近距離物体への焦点調整時に物体側に移動する方式が提案されている。
【０００４】
また、特許文献２では、全体として正の屈折力を有するフォーカス群が、物体側から順に正の屈折力を有する第１レンズ群、負の屈折力を有する第２レンズ群、正の屈折力を有する第３レンズ群より構成されている。そして前記第３レンズ群が近距離物体への焦点調整時に物体側へ移動する方式が提案されている。
【先行技術文献】
【特許文献】
【０００５】
【特許文献１】２００４−３０９７６１号公報
【特許文献２】２００４−８５８４６号公報
【発明の概要】
【発明が解決しようとする課題】
【０００６】
テレビカメラ、映画用カメラ等に用いるズームレンズにおいては、機動性の確保と撮影自由度の向上のために、更なる高倍率と小型軽量化の両立が望まれている。また、焦点調整に伴う収差変動の少ない高性能なズームレンズが要求されている。
【０００７】
特許文献１の焦点調整方式は広角ズームレンズに適しているが、高倍率化が困難であり、実施例ではズーム比が３倍程度である。高倍率化を達成しようとすると、第１レンズ群の径や全長が増大してしまう。
【０００８】
特許文献２の焦点調整方式は望遠ズームレンズに適しているが、高倍率化が困難であり、実施例ではズーム比が２．５倍程度である。高倍率化を達成しようとすると、第１レンズ群の径や全長が増大してしまう。
【０００９】
そこで本発明の目的は、高倍率と小型軽量の両立が可能であり、且つ焦点調整による収差変動の少ない焦点調整方式を有するズームレンズ及びそれを有する撮像装置を提供することである。
【課題を解決するための手段】
【００１０】
上記目的を達成するための、本発明に係るズームレンズは、物体側から像側へ順に、正の屈折力を有しズーミングのためには移動しない第１レンズ群と、ズーミングに際し、隣接するレンズ群の間隔を変化させながら移動する少なくとも２群を含む変倍レンズ群と、開口絞りと、正の屈折力を有しズーミングのためには移動しないリレーレンズ群とを有し、該第１レンズ群は、物体側から像側へ順に正の屈折力を有する第１１レンズ群、負の屈折力を有する第１２レンズ群、正の屈折力を有する第１３レンズ群からなり、該第１２レンズ群を物体側へ繰り出すことにより近距離物体へ焦点調整を行い、該第１レンズ群の焦点距離をｆ１、該第１１レンズ群の焦点距離をｆ１１とするとき、
０．０７  ＜  ｆ１／ｆ１１  ＜  ０．３５
を満足することを特徴とする。
【００１１】
本発明の更なる目的又はその他の特徴は、以下、添付の図面を参照して説明される好ましい実施例等によって明らかにされるであろう。
【発明の効果】
【００１２】
本発明により、高倍率、小型軽量且つフォーカスによる収差変動の少ない高性能なズームレンズを達成することができる。
【図面の簡単な説明】
【００１３】
【図１】本発明の原理を示す図である。
【図２】実施例１の広角端における、物体距離無限（Ａ）及び至近（Ｂ）でのレンズ断面図である。
【図３】実施例１の望遠端における、物体距離無限（Ａ）及び至近（Ｂ）における光路図である。
【図４Ａ】実施例１の広角端における、物体距離７．０ｍ（ａ）、無限遠（ｂ）、至近（１．５ｍ）（ｃ）での収差図である。
【図４Ｂ】実施例１の望遠端における、物体距離７．０ｍ（ａ）、無限遠（ｂ）、至近（１．５ｍ）（ｃ）での収差図である。
【図５】実施例２の広角端における、物体距離無限（Ａ）及び至近（Ｂ）でのレンズ断面図である。
【図６Ａ】実施例２の広角端における、物体距離７．０ｍ（ａ）、無限遠（ｂ）、至近（１．８ｍ）（ｃ）での収差図である。
【図６Ｂ】実施例２の望遠端における、物体距離７．０ｍ（ａ）、無限遠（ｂ）、至近（１．８ｍ）（ｃ）での収差図である。
【図７】実施例３の広角端における、物体距離無限（Ａ）及び至近（Ｂ）でのレンズ断面図である。
【図８Ａ】実施例３の広角端における、物体距離７．０ｍ（ａ）、無限遠（ｂ）、至近（１．８ｍ）（ｃ）での収差図である。
【図８Ｂ】実施例３の望遠端における、物体距離７．０ｍ（ａ）、無限遠（ｂ）、至近（１．８ｍ）（ｃ）での収差図である。
【図９】実施例４の広角端における、物体距離無限（Ａ）及び至近（Ｂ）でのレンズ断面図である。
【図１０Ａ】実施例４の広角端における、物体距離１２．０ｍ（ａ）、無限遠（ｂ）、至近（３．５ｍ）（ｃ）での収差図である。
【図１０Ｂ】実施例４の望遠端における、物体距離１２．０ｍ（ａ）、無限遠（ｂ）、至近（３．５ｍ）（ｃ）での収差図である。
【図１１】実施例５の広角端における、物体距離無限（Ａ）及び至近（Ｂ）でのレンズ断面図である。
【図１２Ａ】実施例５の広角端における、物体距離７．０ｍ（ａ）、無限遠（ｂ）、至近（１．８ｍ）（ｃ）での収差図である。
【図１２Ｂ】実施例５の望遠端における、物体距離７．０ｍ（ａ）、無限遠（ｂ）、至近（１．８ｍ）（ｃ）での収差図である。
【図１３】実施例６の撮像装置の概略図である。
【発明を実施するための形態】
【００１４】
以下に、本発明の実施の形態を添付の図面に基づいて詳細に説明する。
まず、本発明のズームレンズの特徴について、各条件式に沿って説明する。
本発明は、高倍率、小型軽量且つ焦点調整による収差変動の少ない高性能なズームレンズを達成するための第１レンズ群の構成及び、焦点調整方式について規定する。焦点調整による収差変動とは、具体的には物体距離無限遠から至近にかけた像面湾曲の変動を意味する。
【００１５】
本発明のズームレンズは、物体側から順に、正の屈折力を有しズーミングのためには移動しない第１レンズ群と、ズーミングに際し、隣接するレンズ群の間隔を変化させながら移動する少なくとも２群を含む変倍レンズ群と、開口絞り、正の屈折力を有しズーミングのためには移動しないリレーレンズ群とで構成される。第１レンズ群Ｕ１は、物体側より順に正の屈折力を有する第１１レンズ群、負の屈折力を有する第１２レンズ群、正の屈折力を有する第１３レンズ群で構成され、前記第１２レンズ群を物体側へ繰り出すことにより近距離物体へ焦点調整を行う方式としている。更に第１レンズ群の焦点距離をｆ１、第１１レンズ群の焦点距離をｆ１１、レンズ全系における望遠端の焦点距離をｆｔとしたとき、以下の条件式を満足する。
０．０７  ＜  ｆ１／ｆ１１  ＜  ０．３５  ・・・（１）
０．２  ＜  ｆ１／ｆｔ  ＜  １．０        ・・・（２）
【００１６】
本発明の光学的作用について図１を用いて説明する。
図１は、任意のズーム位置における物体距離が無限遠及び至近における第１レンズ群の軸外光路概念図である。図１において、左側が物体側、右側が像面側であり、物体側から順に、正の屈折力の第１１レンズ群Ｕ１１、負の屈折力の第１２レンズ群Ｕ１２、正の屈折力の第１３レンズ群Ｕ１３を示している。物体距離が無限遠での第１１レンズ群Ｕ１１における軸外光線の高さをｈ１１ｉｎｆとし、物体距離が至近での第１１レンズ群Ｕ１１における軸外光線の高さをｈ１１ｍｏｄとすると、以下の関係が成り立つ。
ｈ１１ｉｎｆ  ＞  ｈ１１ｍｏｄ  ・・・（６）
【００１７】
つまり、第１１レンズ群Ｕ１１を通過する軸外入射光線の高さは、物体距離が無限遠の場合より至近の場合の方が低い。この効果により、物体距離が無限遠から至近に向けて変化すると像面湾曲はオーバー側（物体側から離れる側）に変化する。一方で、第１２レンズ群Ｕ１２が、物体距離が無限遠から至近に向けて物体側に繰り出すとき、至近側で像面湾曲はアンダー側（物体側）に変化する。以上により、第１１レンズ群Ｕ１１の入射光線高さの変化による像面湾曲をオーバーにする寄与分と、第１２レンズ群Ｕ１２が物体側に繰り出すことによる像面湾曲をアンダーにする寄与分が相殺し、焦点調整による像面湾曲の変動を抑制することが可能となる。但し、第１１レンズ群Ｕ１１のパワーの増大により、第１２レンズ群Ｕ１２の繰り出し量が増大するため、第１１レンズ群Ｕ１１のパワーを適切に設定することが必要となる。
【００１８】
次に、前述の条件式（１）〜（２）に関して説明する。
【００１９】
（１）式は、第１レンズ群Ｕ１の焦点距離ｆ１と第１１レンズ群Ｕ１１の焦点距離ｆ１１の比を規定する。
０．０７  ＜  ｆ１／ｆ１１  ＜  ０．３５  ・・・（１）
（１）式を満たすことで、焦点調整による収差変動の抑制が可能となる。（１）式の上限が満たされないと、第１レンズ群Ｕ１に対する第１１レンズ群Ｕ１１のパワーが強くなり過ぎてしまい、第１２レンズ群Ｕ１２の繰り出し量が増大してしまう。これにより焦点調整による収差変動の抑制、小型軽量化が困難となってしまう。（１）式の下限が満たされないと、第１レンズ群Ｕ１に対する第１１レンズ群Ｕ１１のパワーが弱くなり過ぎてしまい、第１１レンズ群Ｕ１１の焦点調整における像面湾曲変動の抑制効果がなくなってしまう。（１）式は、更に次の如く条件式を設定することが好ましい。
０．１１  ＜  ｆ１／ｆ１１  ＜  ０．２８  ・・・（１ａ）
【００２０】
（２）式は、第１レンズ群Ｕ１の焦点距離ｆ１とレンズ全系における望遠端の焦点距離ｆｔの比を規定する。
０．２  ＜  ｆ１／ｆｔ  ＜  １．０        ・・・（２）
（２）式を満たすことで、高倍率と高性能化の両立が可能となる。（２）式の上限が満たされないと、レンズ全系における望遠端の焦点距離ｆｔに対する第１レンズ群Ｕ１の焦点距離ｆ１が長くなり過ぎてしまう。第１レンズ群Ｕ１の長焦点化により、変倍レンズ群の物点位置が遠ざかるため、変倍のための移動量が増大してしまい、高倍率化が困難となる。（２）式の下限が満たされないと、レンズ全系における望遠端の焦点距離ｆｔに対する第１レンズ群Ｕ１のパワーが強くなり過ぎてしまい、第１レンズ群Ｕ１に起因する諸収差の抑制が困難となる。（２）式は、更に次の如く条件式を設定することが好ましい。
０．３５  ＜  ｆ１／ｆｔ  ＜  ０．７  ・・・（２ａ）
【００２１】
本発明のズームレンズの更なる態様においては、高倍率、小型軽量且つ焦点調整による収差変動の少ない高性能なズームレンズを達成するための、第１２レンズ群Ｕ１２と第１３レンズ群Ｕ１３のパワーを規定する。第１２レンズ群Ｕ１２の焦点距離をｆ１２、第１３レンズ群Ｕ１３の焦点距離をｆ１３としたとき、以下の条件式を満足する。
−２．５  ＜  ｆ１２／ｆ１３  ＜  −０．８  ・・・（３）
【００２２】
（３）式は、第１２レンズ群Ｕ１２の焦点距離ｆ１２と第１３レンズ群Ｕ１３の焦点距離ｆ１３の比を規定する。（３）式の上限が満たされない、第１２レンズ群Ｕ１２のパワーが強くなり過ぎ、焦点調整による収差変動の抑制が困難となる。（３）式の下限が満たされないと、第１２レンズ群Ｕ１２のパワーが弱くなり過ぎ、焦点調整による繰り出し量が増大してしまい、小型軽量化が困難となる。（３）式は、更に次の如く条件式を設定することが好ましい。
−１．８  ＜  ｆ１２／ｆ１３  ＜  −１．０  ・・・（３ａ）
【００２３】
さらに本発明は、上記の特徴を有するズームレンズと、該ズームレンズによって形成された像を受光する所定の有効撮像範囲を有する固体撮像素子と、を有する撮像装置において、レンズ全系における広角端の焦点距離をｆｗ、撮像素子のイメージサイズをＩＳとしたとき、ズームレンズを特に有効に利用するための以下の条件を規定する。
０．７  ＜  ｆｗ／ＩＳ  ＜  ２．４  ・・・（４）
（４）式の上限が満たされないと、レンズ全系における広角端の焦点距離ｆｗが長くなり過ぎてしまう。（４）式の下限がみたされないと、レンズ全系における広角端の焦点距離ｆｗが短くなり過ぎ、第１１レンズ群Ｕ１１の軸外光線の入射高さが増大し、レンズ外径が大型化してしまう。尚、本発明のズームレンズが特に有効に利用されるズームレンズの変倍比としては、変倍比が４倍以上であることが好ましい。
【００２４】
以下に本発明のズームレンズ及びそれを有する撮像装置の実施例について説明する。
【実施例１】
【００２５】
図２は本発明の第１の実施例（数値実施例１）であるズームレンズにおいて、広角端における物体距離が無限遠（Ａ）、至近（Ｂ）におけるレンズ断面図である。
【００２６】
図２において、物体側（左側）から順に、第１レンズ群Ｕ１としての正の屈折力を有するフォーカスレンズ群、第２レンズ群Ｕ２としての変倍用の負の屈折力のバリエータ、第３レンズ群Ｕ３としての負の屈折力のコンペンセータ、絞りＳＰ、第４レンズ群Ｕ４としての結像作用を有する正の屈折力のリレーレンズ群、撮像面Ｉである。第２レンズ群Ｕ２（バリエータ）は、光軸上を像面側へ単調に移動することにより、広角端から望遠端への変倍を行う。第３レンズ群Ｕ３（コンペンセータ）は、変倍に伴う像面変動を補正するために光軸上を非直線的に移動する。
【００２７】
本実施例における第１レンズ群Ｕ１は第１面から第１７面までに対応する。第１レンズ群Ｕ１は、正の屈折力の第１１レンズ群Ｕ１１、物体距離無限遠から至近にかけて物体側に移動する負の屈折力の第１２レンズ群Ｕ１２、正の屈折力の第１３レンズ群Ｕ１３より構成される。
【００２８】
図３に、本発明の実施例１の第１レンズ群Ｕ１の光路図を示す。第１１レンズ群Ｕ１１において物体距離無限遠（Ａ）における軸外入射光線高さが至近（Ｂ）における軸外入射光線高さよりも高くなっていることが分かる。
【００２９】
図４Ａに、数値実施例１の広角端における物体距離７．０ｍ（ａ）、無限遠（ｂ）、至近（１．５ｍ）（ｃ）での収差図を、図４Ｂに、数値実施例１の望遠端における物体距離７．０ｍ（ａ）、無限遠（ｂ）、至近（１．５ｍ）（ｃ）での収差図を示す。但し、物体距離は像面を基準とした値である。尚、各実施例における収差図において、球面収差はｅ線（実線）、ｇ線（２点鎖線）を示している。非点収差はｅ線のメリディオナル像面（ｍｅｒｉ）（点線）とサジタル像面（ｓａｇｉ）（実線）を示している。倍率色収差はｇ線（２点鎖線）によって表している。ＦｎｏはＦナンバー、ωは半画角を表す。また、球面収差は０．４ｍｍ、非点収差は０．４ｍｍ、歪曲は５％、倍率色収差は０．０５ｍｍのスケールで描かれている。
【００３０】
本実施例の各条件対応値を表１に示す。本実施例は条件式（１）〜（４）を満足しており、高倍率、小型軽量且つフォーカスによる収差変動の少ない高性能なズームレンズを達成している。
【００３１】
以下に本発明の実施例１に対応する数値実施例１を示す。以後、記載する各数値実施例において、いずれもｉは物体側からの面の順序を示し、ｒｉは物体側より第ｉ番目の面の曲率半径、ｄｉは物体側より第ｉ番目と第ｉ＋１番目の間隔、ｎｄｉ，νｄｉは第ｉ番目の光学部材の屈折率とアッべ数である。ＢＦは空気換算のバックフォーカスである。非球面形状は、光軸方向にＸ軸、光軸と垂直方向にＨ軸、光の進行方向を正としたとき、近軸曲率半径Ｒ、円錐常数ｋ、非球面係数Ａ４，Ａ６、Ａ８、Ａ１０、Ａ１２によって、次式で表される。
【数１】
0005693321.tif 000002
【００３２】
また、以下の数値実施例の数値内で、「ｅ−ｚ」は「×１０−ｚ」を意味する。
【００３３】
（数値実施例１）
単位 mm
面データ
面番号       r        d      nd         vd       有効径
1      -2169.523    9.00   1.51633    64.1      140.17
2       -314.385   17.12                        138.65
3      -1314.817    3.00   1.69680    55.5      106.32
4        256.027   16.35                        102.86
5       -135.450    3.00   1.77250    49.6      102.49
6        214.527   10.00   1.80809    22.8      105.84
7      -4416.376    2.00                        106.31
8        265.280   16.00   1.60311    60.6      108.39
9*      -204.953    0.20                        108.40
10        470.288    3.00   1.84666    23.8      105.34
11        133.708    0.78                        103.29
12        140.997   17.00   1.43387    95.1      103.37
13       -320.050    0.20                        103.38
14        182.418   12.00   1.59240    68.3      101.75
15       -590.022    0.20                        100.97
16        149.424    8.00   1.59240    68.3       96.43
17        486.995   (可変)                        95.40
18         89.717    1.80   1.77250    49.6       48.24
19         31.533   10.06                         41.62
20       -118.868    1.50   1.60311    60.6       41.38
21         86.401    0.15                         40.17
22         49.488    6.24   1.80518    25.4       40.06
23     -15259.953    3.00                         39.23
24        -68.145    1.50   1.77250    49.6       39.12
25      -3979.779   (可変)                        38.54
26        -85.815    1.50   1.80400    46.6       35.00
27        321.459    3.50   1.92286    18.9       36.14
28       -700.345   (可変)                        36.88
29(絞り)    ∞       2.00                         38.21
30       1156.972    4.20   1.62041    60.3       39.26
31       -118.359    0.20                         39.91
32       1169.967    4.20   1.62041    60.3       40.40
33       -103.147    0.20                         40.67
34        135.391    6.50   1.43875    94.9       40.54
35        -71.283    1.60   1.84666    23.8       40.30
36       -253.564    0.20                         40.46
37         40.391    6.50   1.61800    63.3       40.10
38        170.242   30.53                         39.05
39       -157.350    1.20   2.00330    28.3       23.85
40         37.528    0.90                         23.85
41         61.846    3.35   1.92286    18.9       23.95
42      -1434.512   21.54                         24.31
43        -23.105    2.00   1.90366    31.3       29.49
44        -29.181    0.15                         31.82
45      -1389.536    5.00   1.61800    63.3       34.54
46        -51.387    0.15                         35.25
47         52.270    5.00   1.48749    70.2       36.08
48        143.875                                 35.63
像面        ∞
【００３４】
非球面データ
第9面
K =-3.69523e+000  A 4=-1.63293e-008  A 6= 1.65333e-012  A 8=-2.91145e-016  A10= 4.33793e-020  A12=-3.27158e-024
各種データ
ズーム比      8.00
焦点距離      30.00    60.00    90.00   120.00   240.00
Fナンバー      2.80     2.80     2.80     2.80     2.80
画角          27.40    14.53     9.80     7.38     3.71
像高          15.55    15.55    15.55    15.55    15.55
レンズ全長   397.08   397.08   397.08   397.08   397.08
BF            43.65    43.65    43.65    43.65    43.65
d17            0.70    48.07    68.46    80.51   102.64
d25          107.72    49.84    25.57    13.22     5.48
d28            2.50    13.01    16.89    17.19     2.80
入射瞳位置   121.39   212.72   281.69   337.22   485.52
射出瞳位置  -216.79  -216.79  -216.79  -216.79  -216.79
前側主点位置 147.94   258.90   340.59   401.93   504.36
後側主点位置  13.65   -16.35   -46.35   -76.35  -196.35
ズームレンズ群データ
群  始面    焦点距離  レンズ構成長  前側主点位置  後側主点位置
1    1     150.19       117.84        93.74         15.23
2   18     -41.06        24.24         7.07        -10.78
3   26    -130.63         5.00        -0.50         -3.15
4   29      68.89        95.42        40.89       -116.21
【実施例２】
【００３５】
図５は本発明の第２の実施例（数値実施例２）であるズームレンズにおいて、広角端における物体距離が無限遠（Ａ）、至近（Ｂ）におけるレンズ断面図である。
【００３６】
図５において、物体側（左側）から順に、第１レンズ群Ｕ１としての正の屈折力を有するフォーカスレンズ群、第２レンズ群Ｕ２としての変倍用の負の屈折力のバリエータ、第３レンズ群Ｕ３としての負の屈折力のコンペンセータ、絞りＳＰ、第４レンズ群Ｕ４としての結像作用を有する正の屈折力のリレーレンズ群、撮像面Ｉである。第２レンズ群Ｕ２（バリエータ）は、光軸上を像面側へ単調に移動することにより、広角端から望遠端への変倍を行う。第３レンズ群Ｕ３（コンペンセータ）は、変倍に伴う像面変動を補正するために光軸上を非直線的に移動する。
【００３７】
本実施例における第１レンズ群Ｕ１は第１面から第１７面までに対応する。第１レンズ群Ｕ１は、正の屈折力の第１１レンズ群Ｕ１１、物体距離無限遠から至近にかけて物体側に移動する負の屈折力の第１２レンズ群Ｕ１２、正の屈折力の第１３レンズ群Ｕ１３より構成される。
【００３８】
図６Ａに、数値実施例２の広角端における物体距離７．０ｍ（ａ）、無限遠（ｂ）、至近（１．８ｍ）（ｃ）での収差図を、図６Ｂに、数値実施例２の望遠端における物体距離７．０ｍ（ａ）、無限遠（ｂ）、至近（１．８ｍ）（ｃ）での収差図を示す。但し、物体距離は像面を基準とした値である。
【００３９】
本実施例の各条件対応値を表１に示す。本実施例は条件式（１）〜（４）を満足しており、高倍率、小型軽量且つフォーカスによる収差変動の少ない高性能なズームレンズを達成している。
【００４０】
（数値実施例２）
単位 mm
面データ
面番号       r        d      nd         vd       有効径
1       -583.706    6.99   1.51633    64.1      140.02
2       -302.329   24.84                        138.26
3       -311.056    3.30   1.77250    49.6      112.24
4        151.251   10.36   1.80809    22.8      104.39
5        601.269   15.14                        103.77
6       -279.478    3.20   1.88300    40.8      102.12
7      -1295.913    1.50                        102.60
8        343.747   14.61   1.60311    60.6      102.99
9*      -225.217    0.20                        102.98
10        248.998    3.00   2.00069    25.5      100.09
11        119.891    1.20                         97.33
12        121.781   14.19   1.43387    95.1       97.56
13      -1565.731    0.20                         97.18
14        162.683   11.33   1.43387    95.1       95.57
15      -1246.319    0.20                         94.52
16        130.686    9.58   1.59240    68.3       89.93
17       1286.637   (可変)                        88.54
18*       252.754    1.50   1.81600    46.6       40.77
19         30.696    9.82                         35.54
20        -46.564    1.30   1.61800    63.3       35.24
21        160.927    0.15                         35.61
22         66.516    9.66   1.72047    34.7       36.01
23        -44.329    0.97                         35.68
24        -36.785    1.30   1.61800    63.3       35.53
25       -175.868   (可変)                        35.24
26        -78.826    1.50   1.78800    47.4       37.94
27        174.967    4.00   1.80809    22.8       39.62
28       -400.996   (可変)                        40.41
29(絞り)    ∞       2.00                         43.90
30        227.851    6.00   1.62041    60.3       45.57
31        -85.865    0.20                         45.98
32        163.304    5.00   1.62041    60.3       46.19
33       -232.045    0.20                         46.01
34        153.704    8.00   1.49700    81.5       45.22
35        -67.267    1.50   2.00069    25.5       44.52
36        779.316    0.15                         44.42
37         47.133    7.00   1.61800    63.3       44.52
38        418.656   31.11                         43.75
39      -2183.154    1.00   1.90366    31.3       26.47
40         35.989    0.92                         26.20
41         41.236    4.50   1.92286    18.9       26.61
42       -164.315   11.15                         26.55
43        -39.958    1.00   2.00330    28.3       24.36
44         66.149    2.55                         25.22
45       -372.241    3.50   1.51633    64.1       26.26
46        -54.308    0.15                         27.46
47         82.898    5.00   1.51633    64.1       29.58
48       -105.535    5.00                         30.31
49        114.638    4.50   1.48749    70.2       32.31
50        -97.659                                 32.49
像面        ∞
【００４１】
非球面データ
第9面
K =-5.66068e-001  A 4= 1.51067e-008  A 6=-3.75472e-013  A 8=-2.28484e-017  A10= 6.24661e-021  A12= 2.42363e-024
第18面
K = 3.11849e-001  A 4= 6.91320e-007  A 6= 2.21769e-010  A 8=-3.87899e-012  A10=-4.65629e-015  A12= 6.08638e-019
A 9= 2.74177e-013
各種データ
ズーム比     10.00
焦点距離      30.00    60.00    90.00   120.00   300.00
Fナンバー      2.80     2.80     2.80     2.80     3.59
画角          27.40    14.53     9.80     7.38     2.97
像高          15.55    15.55    15.55    15.55    15.55
レンズ全長   409.78   409.78   409.78   409.78   409.78
BF            45.49    45.49    45.49    45.49    45.49
d17            0.70    47.08    66.85    78.43   104.40
d25          107.08    50.44    26.54    14.05     6.88
d28            6.05    16.31    20.43    21.35     2.55
入射瞳位置   122.73   219.68   296.76   362.16   635.87
射出瞳位置  -125.98  -125.98  -125.98  -125.98  -125.98
前側主点位置 147.48   258.69   339.52   398.18   411.00
後側主点位置  15.49   -14.51   -44.51   -74.51  -254.51
ズームレンズ群データ
群  始面    焦点距離  レンズ構成長  前側主点位置  後側主点位置
1    1     148.37       119.84        91.77          5.83
2   18     -37.80        24.70         1.29        -17.79
3   26    -128.07         5.50        -0.81         -3.87
4   29      59.92       100.43        17.63       -101.00
【実施例３】
【００４２】
図７は本発明の第３の実施例（数値実施例３）であるズームレンズにおいて、広角端における物体距離無限遠（Ａ）、至近（Ｂ）におけるレンズ断面図である。
【００４３】
図７において、物体側（左側）から順に、第１レンズ群Ｕ１としての正の屈折力を有するフォーカスレンズ群、第２レンズ群Ｕ２としての変倍用の負の屈折力のバリエータ、第３レンズ群Ｕ３としての負の屈折力のコンペンセータ、絞りＳＰ、第４レンズ群Ｕ４としての結像作用を有する正の屈折力のリレーレンズ群、撮像面Ｉである。第２レンズ群Ｕ２（バリエータ）は、光軸上を像面側へ単調に移動することにより、広角端から望遠端への変倍を行う。第３レンズ群Ｕ３（コンペンセータ）は、変倍に伴う像面変動を補正するために光軸上を非直線的に移動する。
【００４４】
本実施例における第１レンズ群Ｕ１は第１面から第１８面までに対応する。第１レンズ群Ｕ１は、正の屈折力の第１１レンズ群Ｕ１１、物体距離無限遠から至近にかけて物体側に移動する負の屈折力の第１２レンズ群Ｕ１２、正の屈折力の第１３群レンズ群Ｕ１３より構成される。
【００４５】
図８Ａに、数値実施例３の広角端における物体距離７．０ｍ（ａ）、無限遠（ｂ）、至近（１．８ｍ）（ｃ）での収差図を、図８Ｂに、数値実施例３の望遠端における物体距離７．０ｍ（ａ）、無限遠（ｂ）、至近（１．８ｍ）（ｃ）での収差図を示す。但し、物体距離は像面を基準とした値である。
【００４６】
本実施例の各条件対応値を表１に示す。本実施例は条件式（１）〜（４）を満足しており、高倍率、小型軽量且つフォーカスによる収差変動の少ない高性能なズームレンズを達成している。
【００４７】
（数値実施例３）
単位 mm
面データ
面番号       r        d      nd         vd       有効径
1      -6789.500   10.50   1.60311    60.6      140.00
2       -345.130   17.49                        137.64
3       -303.194    3.30   1.69680    55.5      113.45
4        150.476    1.08                        106.91
5        136.232    8.50   1.80809    22.8      107.04
6        269.163   13.16                        106.11
7       -207.861    3.20   1.77250    49.6      105.83
8        838.802    1.10                        106.80
9        209.218   19.00   1.60311    60.6      108.43
10*      -179.947    0.20                        108.23
11        215.993    3.10   1.84666    23.8      102.96
12        111.677    2.19                         99.62
13        131.409   14.50   1.43387    95.1       99.65
14       -733.250    0.20                         99.14
15        174.259   10.00   1.43387    95.1       96.48
16      -2457.684    0.20                         95.43
17        102.512   10.00   1.49700    81.5       89.08
18        462.006   (可変)                        87.74
19*       283.707    1.50   1.77250    49.6       43.16
20         29.964   10.36                         36.89
21        -50.860    1.20   1.61800    63.3       36.59
22        148.205    0.15                         36.65
23         64.220    8.23   1.72047    34.7       36.94
24        -50.217    1.30                         36.63
25        -38.357    1.20   1.61800    63.3       36.48
26       -171.525   (可変)                        36.10
27        -74.655    1.50   1.75500    52.3       33.56
28        336.170    3.50   1.92286    18.9       34.78
29       -648.589   (可変)                        35.56
30(絞り)    ∞       1.80                         41.19
31        181.332    6.20   1.61800    63.3       42.70
32        -83.419    0.20                         43.12
33        198.303    4.50   1.60311    60.6       43.12
34       -213.141    0.20                         42.94
35         99.366    7.50   1.48749    70.2       42.02
36        -70.150    1.50   2.00069    25.5       41.35
37        219.525    0.20                         40.98
38         43.957    7.50   1.58913    61.1       41.23
39      -1109.090   22.77                         40.47
40       -146.133    1.00   1.88300    40.8       27.23
41         46.863    5.00   1.92286    18.9       26.49
42       -888.361   11.70                         25.83
43        -47.369    1.00   1.88300    40.8       23.37
44         48.235    3.85                         24.34
45         59.723    6.41   1.51633    64.1       28.90
46        -58.081    2.43                         30.11
47         99.274    5.61   1.48749    70.2       32.50
48        -72.716    6.89                         32.88
49         65.651    5.08   1.48749    70.2       33.03
50       -173.806    4.60                         32.67
51        -46.195    1.30   1.80518    25.4       31.81
52        -88.691                                 32.21
像面        ∞   
【００４８】
非球面データ
第10面
K =-6.40245e-001  A 4= 2.99358e-008  A 6= 1.11596e-012  A 8= 4.00444e-017  A10=-4.27972e-021  A12= 4.50536e-025
第19面
K = 2.13815e+001  A 4= 8.72526e-007  A 6= 3.93582e-011  A 8= 1.01444e-014  A10= 1.85555e-017  A12= 1.22156e-018
各種データ
ズーム比      8.00
焦点距離      30.00    60.00    90.00   120.00   240.00
Fナンバー      2.80     2.80     2.80     2.80     2.83
画角          27.40    14.53     9.80     7.38     3.71
像高          15.55    15.55    15.55    15.55    15.55
レンズ全長   404.39   404.39   404.39   404.39   404.39
BF            43.13    43.13    43.13    43.13    43.13
d18            0.69    44.02    62.57    73.48    93.22
d26           95.54    42.79    20.97    10.04     3.74
d29           11.12    20.54    23.81    23.84    10.39
入射瞳位置   124.55   223.18   301.20   367.45   571.36
射出瞳位置  -151.56  -151.56  -151.56  -151.56  -151.56
前側主点位置 149.93   264.69   349.60   413.48   515.50
後側主点位置  13.13   -16.87   -46.87   -76.87  -196.87
ズームレンズ群データ
群  始面    焦点距離  レンズ構成長  前側主点位置  後側主点位置
1    1     145.00       117.71        85.61          0.79
2   19     -37.71        23.94         1.85        -16.81
3   27    -122.65         5.00        -0.52         -3.20
4   30      63.60       107.25        26.46       -106.26
【実施例４】
【００４９】
図９は本発明の第４の実施例（数値実施例４）であるズームレンズにおいて、広角端における物体距離無限遠（Ａ）、至近（Ｂ）におけるレンズ断面図である。
【００５０】
図９において、物体側（左側）から順に、第１レンズ群Ｕ１としての正の屈折力を有するフォーカスレンズ群、第２レンズ群Ｕ２としての変倍用の負の屈折力のバリエータ、第３レンズ群Ｕ３としての正の屈折力のコンペンセータ、絞りＳＰ、第４レンズ群Ｕ４としての結像作用を有する正の屈折力のリレーレンズ群、色分解プリズムと等価なガラスブロックＰ、撮像面Ｉである。第２レンズ群Ｕ２（バリエータ）は、光軸上を像面側へ単調に移動することにより、広角端から望遠端への変倍を行う。第３レンズ群Ｕ３（コンペンセータ）は、変倍に伴う像面変動を補正するために光軸上を物体側へ移動する。
【００５１】
本実施例における第１レンズ群Ｕ１は第１面から第１８面までに対応する。第１レンズ群Ｕ１は、正の屈折力の第１１レンズ群Ｕ１１、物体距離無限遠から至近にかけて物体側に移動する負の屈折力の第１２レンズ群Ｕ１２、正の屈折力の第１３レンズ群Ｕ１３より構成される。
【００５２】
図１０Ａに、数値実施例４の広角端における物体距離１２．０ｍ（ａ）、無限遠（ｂ）、至近（３．５ｍ）（ｃ）での収差図を、図１０Ｂに、数値実施例４の望遠端における物体距離１２．０ｍ（ａ）、無限遠（ｂ）、至近（３．５ｍ）（ｃ）での収差図を示す。但し、物体距離は像面を基準とした値である。
【００５３】
本実施例の各条件対応値を表１に示す。本実施例は条件式（１）〜（４）を満足しており、高倍率、小型軽量且つフォーカスによる収差変動の少ない高性能なズームレンズを達成している。
【００５４】
（数値実施例４）
単位 mm
面データ
面番号       r        d      nd         vd       有効径
1      -1285.981   16.00   1.60311    60.6      238.38
2       -453.992   28.16                        235.09
3      -1768.826    4.50   1.69680    55.5      175.79
4        224.939    1.49                        160.13
5        193.428   15.00   1.80809    22.8      158.26
6        455.173   21.75                        155.06
7       -242.131    4.48   1.77250    49.6      153.26
8        974.415    1.54                        158.98
9        328.024   31.00   1.60311    60.6      164.84
10*      -241.476    0.28                        166.04
11        368.399    4.34   1.84666    23.8      163.70
12        161.235    3.31                        159.44
13        180.379   26.00   1.43387    95.1      159.92
14      -1097.243    0.28                        160.06
15        222.573   18.00   1.43387    95.1      159.76
16       3816.603    0.28                        158.79
17        153.559   18.00   1.49700    81.5      152.31
18        536.763   (可変)                       150.50
19        106.015    2.00   1.83481    42.7       43.51
20         45.344    7.96                         39.11
21        -96.098    1.90   1.81600    46.6       37.15
22         77.966    6.46                         35.96
23        -61.975    1.90   1.81600    46.6       36.60
24         84.864    7.47   1.92286    21.3       40.14
25        -85.438    0.19                         41.24
26        -96.943    2.20   1.88300    40.8       41.42
27       -187.725   (可変)                        42.73
28        667.229    9.00   1.59240    68.3       63.55
29       -100.146    0.20                         64.46
30        181.627   11.00   1.48749    70.2       65.29
31       -266.580    4.67                         64.96
32        -92.130    2.50   1.72047    34.7       64.80
33       -119.153    0.20                         65.55
34        114.356    2.50   1.84666    23.9       64.88
35         63.074    0.20                         62.96
36         61.293   10.00   1.49700    81.5       63.20
37        693.894    0.20                         62.94
38        150.756    9.00   1.48749    70.2       62.51
39       -232.251   (可変)                        61.62
40(絞り)    ∞       4.50                         33.40
41        -72.509    1.80   1.81600    46.6       31.84
42         71.706    0.20                         31.36
43         36.874    5.70   1.80809    22.8       31.79
44        104.177    4.97                         30.78
45        -74.082    2.00   1.88300    40.8       30.04
46         60.183   30.00   1.80518    25.4       30.20
47        335.005    5.50                         31.69
48       -401.052    5.00   1.62041    60.3       32.52
49        -85.159    0.20                         33.03
50       -336.524    1.50   1.83400    37.2       33.00
51         48.547   10.00   1.62041    60.3       33.15
52        -46.006    0.20                         33.68
53        149.836    7.00   1.48749    70.2       32.50
54        -41.555    1.50   1.83400    37.2       31.73
55       -104.772    0.20                         31.58
56         89.157    5.00   1.62041    60.3       30.63
57          ∞       5.00                         29.35
58          ∞      55.50   1.51633    64.2       40.00
59          ∞                                    40.00
像面        ∞
【００５５】
非球面データ
第10面
K =-1.71174e+000  A 4=-2.64439e-010  A 6= 2.97633e-014  A 8= 5.28479e-017  A10=-8.37625e-021  A12= 4.10664e-025
各種データ
ズーム比     57.46
焦点距離      10.00    24.79    66.11   314.61   574.56
Fナンバー      1.80     1.80     1.80     2.00     3.65
画角          28.81    12.51     4.76     1.00     0.55
像高           5.50     5.50     5.50     5.50     5.50
レンズ全長   676.29   676.29   676.29   676.29   676.29
BF            10.01    10.01    10.01    10.01    10.01
d18            1.55    71.55   116.55   152.86   159.05
d27          241.50   162.37   103.26    34.56     6.17
d39            3.50    12.62    26.74    59.13    81.32
入射瞳位置    190.70    375.76    727.28   2486.89   5104.09
射出瞳位置  -2944.21  -2944.21  -2944.21  -2944.21  -2944.21
前側主点位置  200.67    400.35    791.91   2768.00   5566.90
後側主点位置    0.01    -14.78    -56.10   -304.60   -564.55
ズームレンズ群データ
群  始面    焦点距離  レンズ構成長  前側主点位置  後側主点位置
1    1     221.22       194.41       132.09        -12.59
2   19     -27.50        30.08         6.93        -16.03
3   28      67.50        49.47        14.84        -21.51
4   40      62.75       145.77        61.45          9.72
【実施例５】
【００５６】
図１１は本発明の第５の実施例（数値実施例５）であるズームレンズにおいて、広角端における物体距離無限遠、至近におけるレンズ断面図である。
【００５７】
図１１において、物体側（左側）から順に、第１レンズ群Ｕ１としての正の屈折力を有するフォーカスレンズ群、第２レンズ群Ｕ２としての変倍用の負の屈折力の第１バリエータ、第３レンズ群Ｕ３としての変倍用の負の屈折力を有する第２バリエータ、第４レンズ群Ｕ４としての正の屈折力のコンペンセータ、絞りＳＰ、第５レンズ群Ｕ５としての結像作用を有する正の屈折力のリレーレンズ群、撮像面Ｉである。第２レンズ群Ｕ２（第１バリエータ）は、光軸上を像面側へ単調に移動させることにより、広角端から望遠端への変倍を行う。第３レンズ群Ｕ３（第２バリエータ）は、光軸上を移動することにより、広角端から望遠端への変倍を行う。第４レンズ群Ｕ４（コンペンセータ）は、変倍に伴う像面変動を補正するために光軸上を非直線的に移動する。尚、第３レンズ群Ｕ３がコンペンセータ、第４レンズ群Ｕ４が第２バリエータであっても良い。
【００５８】
本実施例における第１レンズ群Ｕ１は第１面から第１８面までに対応する。第１レンズ群Ｕ１は、正の屈折力の第１１レンズ群Ｕ１１、物体距離無限遠から至近にかけて物体側に移動する負の屈折力の第１２レンズ群Ｕ１２、正の屈折力の第１３レンズ群Ｕ１３より構成される。
【００５９】
図１２Ａに、数値実施例５の広角端における物体距離７．０ｍ（ａ）、無限遠（ｂ）、至近（１．８ｍ）（ｃ）での収差図を、図１２Ｂに、数値実施例５の望遠端における物体距離７．０ｍ（ａ）、無限遠（ｂ）、至近（１．８ｍ）（ｃ）での収差図を、示す。但し、物体距離は像面を基準とした値である。
【００６０】
本実施例の各条件対応値を表１に示す。本実施例は条件式（１）〜（４）を満足しており、高倍率、小型軽量且つフォーカスによる収差変動の少ない高性能なズームレンズを達成している。
【００６１】
（数値実施例５）
単位 mm
面データ
面番号       r        d      nd         vd       有効径
1      -6789.500   10.50   1.60311    60.6      135.86
2       -331.597   15.17                        133.40
3       -286.734    3.30   1.69680    55.5      112.37
4        146.943    1.08                        105.63
5        130.643    7.91   1.80809    22.8      105.43
6        227.276   14.48                        104.20
7       -189.724    3.20   1.77250    49.6      103.71
8       1008.616    1.10                        104.21
9        218.041   17.50   1.60311    60.6      106.15
10*      -173.670    0.20                        106.14
11        208.854    3.10   1.84666    23.8      100.83
12        112.833    2.07                         97.41
13        133.357   14.84   1.43387    95.1       97.41
14       -452.051    0.20                         96.98
15        168.804    9.45   1.43387    95.1       94.17
16      -3065.086    0.20                         93.35
17         99.720   10.89   1.49700    81.5       90.55
18        523.590   (可変)                        89.60
19*       230.232    1.50   1.77250    49.6       44.49
20         30.651   10.77                         37.92
21        -48.977    1.20   1.61800    63.3       37.66
22        127.503    0.15                         37.60
23         64.327    9.08   1.72047    34.7       37.87
24        -44.465    1.33                         37.54
25        -35.281    1.20   1.61800    63.3       37.36
26       -183.716   (可変)                        36.94
27        -93.624    1.50   1.75500    52.3       37.11
28        575.613    3.50   1.92286    18.9       38.14
29       -474.068   (可変)                        38.82
30        924.013    5.04   1.61800    63.3       40.69
31        -76.462    0.20                         41.16
32        195.717    3.36   1.60311    60.6       41.32
33       -774.105  (可変)                         41.20
34(絞り)    ∞       2.00                         40.18
35         57.778    7.64   1.48749    70.2       39.50
36        -90.744    1.50   2.00069    25.5       38.85
37        122.152    0.20                         38.26
38         41.057    7.04   1.58913    61.1       38.57
39        748.560   20.54                         37.75
40      -1351.796    1.00   1.88300    40.8       27.54
41         53.351    3.65   1.92286    18.9       26.84
42       -634.824    9.07                         26.38
43        -42.932    1.00   1.88300    40.8       22.12
44         46.969    5.31                         23.00
45         59.871    5.89   1.51633    64.1       28.94
46        -56.336    0.15                         29.84
47         93.037    6.07   1.48749    70.2       31.09
48        -46.166    5.79                         31.34
49         72.479    3.15   1.48749    70.2       29.65
50        131.640    5.46                         29.04
51        -30.964    1.30   1.80518    25.4       28.75
52        -45.224                                 29.51
像面        ∞
【００６２】
非球面データ
第10面
K =-1.62375e+000  A 4= 8.55946e-009  A 6= 1.49002e-012  A 8=-1.39032e-016  A10= 7.10924e-020  A12=-1.33389e-023
第19面
K = 7.95373e+001  A 4= 1.99377e-007  A 6=-6.86680e-010  A 8= 1.26008e-013  A10= 1.08551e-016  A12=-1.49475e-018
各種データ
ズーム比      8.00
焦点距離      30.00    61.04    89.49   121.39   240.01
Fナンバー      2.80     2.80     2.80     2.80     2.80
画角          27.40    14.29     9.86     7.30     3.71
像高          15.55    15.55    15.55    15.55    15.55
レンズ全長   395.37   395.37   395.37   395.37   395.37
BF            45.37    45.37    45.37    45.37    45.37
d18            0.69    41.94    57.63    68.51    87.53
d26           95.62    37.16    13.89     3.10    17.85
d29           11.12    25.50    30.34    29.52     2.04
d33            1.80     4.63     7.36     8.10     1.80
入射瞳位置   121.39   217.78   285.47   355.13   602.63
射出瞳位置   -96.71   -96.71   -96.71   -96.71   -96.71
前側主点位置 145.05   252.60   318.60   372.81   437.23
後側主点位置  15.37   -15.67   -44.12   -76.01  -194.63
ズームレンズ群データ
群  始面    焦点距離  レンズ構成長  前側主点位置  後側主点位置
1    1     135.42       115.18        84.29          3.30
2   19     -37.91        25.22         2.29        -17.16
3   27    -172.98         5.00        -0.95         -3.63
4   30      79.31         8.60         3.14         -2.27
5   34     151.21        86.77        31.34        -57.19
【００６３】
【表１】
0005693321.tif 000003
【実施例６】
【００６４】
図１３は、実施例１乃至５のズームレンズを撮影光学系として用いた第６の実施例である撮像装置の概略図である。本発明の撮像装置１２５は、実施例１乃至５のいずれかのズームレンズ１０１、カメラ１２４から構成される。ズームレンズ１０１はカメラ１２４に対して着脱可能であり、焦点調整用レンズ群を含む第１レンズ群Ｆ、変倍レンズ群ＬＺ、結像用レンズ群Ｒを有する。ＳＰは開口絞りである。各々第１レンズ群Ｆ、変倍レンズ群ＬＺは、ヘリコイドやカム等の駆動機構１１４，１１５によって光軸方向に駆動される。駆動機構１１４、１１５及び開口絞りＳＰはモーター（駆動手段）１１６〜１１８によって電動駆動される。第１群レンズＦや変倍レンズ群ＬＺの光軸上の位置や、開口絞りＳＰの絞り径は、エンコーダやポテンショメータ、あるいはフォトセンサ等の検出器１１９〜１２１によって検出される。カメラ１２４は、光学フィルタや色分解光学系に相当するガラスブロック１０９、ズームレンズ１０１によって形成された被写体像を受光するＣＣＤセンサやＣＭＯＳセンサ等の固体撮像素子（光電変換素子）１１０を含む。また、ＣＰＵ１１１、１２２はカメラ１２４及びズームレンズ１０１の各種の駆動を制御する。このように本発明のズームレンズをテレビカメラ等に適用することにより高い光学性能を有する撮像装置を実現することができる。
【００６５】
以上、本発明の好ましい実施例について説明したが、本発明はこれらの実施例に限定されないことは云うまでもなく、その要旨の範囲内で種々の変形及び変更が可能である。
【符号の説明】
【００６６】
Ｕ１  第１レンズ群
Ｕ２  第２レンズ群
Ｕ３  第３レンズ群
Ｕ４  第４レンズ群
ＳＰ  絞り
Ｕ５  第５レンズ群
Ｉ    撮像面
Ｕ１１  第１１レンズ群
Ｕ１２  第１２レンズ群
Ｕ１３  第１３レンズ群
【図１】
0005693321.tif 000004
【図２】
0005693321.tif 000005
【図３】
0005693321.tif 000006
【図４Ａ】
0005693321.tif 000007
【図４Ｂ】
0005693321.tif 000008
【図５】
0005693321.tif 000009
【図６Ａ】
0005693321.tif 000010
【図６Ｂ】
0005693321.tif 000011
【図７】
0005693321.tif 000012
【図８Ａ】
0005693321.tif 000013
【図８Ｂ】
0005693321.tif 000014
【図９】
0005693321.tif 000015
【図１０Ａ】
0005693321.tif 000016
【図１０Ｂ】
0005693321.tif 000017
【図１１】
0005693321.tif 000018
【図１２Ａ】
0005693321.tif 000019
【図１２Ｂ】
0005693321.tif 000020
【図１３】
0005693321.tif 000021